(57)【要約】【課題】一般的な手洗いにおける様々な乾燥パターンに柔軟に対応することを可能としつつ、様々な洗面ボウルの形態や水栓の配置態様にも柔軟に対応することを可能とする手乾燥装置を提供すること。【解決手段】この手乾燥装置１０は、洗面ボウル及びその洗面ボウルに吐水する水栓の直上であって、壁面に配置された鏡よりも下方の空間に壁面よりも突出するように配置されるものであり、上面１１には略平坦な物置面が形成され、下面１２には洗面ボウルに向けて送風する送風口１３が形成され、送風口１３には空気の吹き出し方向を調整可能な風向調整手段としてのルーバー２１が設けられていることを特徴とする。【選択図】図２
2010213783.tif 000002
【特許請求の範囲】
【請求項１】
洗面ボウル及びその洗面ボウルに吐水する水栓の直上であって、壁面に配置された鏡よりも下方の空間に、壁面から本体部が突出するように配置されるものであり、前記本体部の上面には略平坦な物置面が形成され、前記本体部の下面には洗面ボウルに向けて空気を吹き出す送風口が形成された手乾燥装置であって、
前記送風口には空気の吹き出し方向を調整可能な風向調整手段が設けられていることを特徴とする手乾燥装置。
【請求項２】
前記風向調整手段は、吹き出す空気の指向方向と指向範囲とをそれぞれ調整可能なように構成されていることを特徴とする請求項１に記載の手乾燥装置。
【請求項３】
前記送風口から吹き出す空気量も調整可能なように構成されていることを特徴とする請求項１に記載の手乾燥装置。
【請求項４】
前記本体部は壁面に沿うように横長に形成されており、一側に前記送風口が設けられ、他側に前記送風口から吹き出す空気を吸引する吸引口が設けられていることを特徴とする請求項１に記載の手乾燥装置。
【請求項５】
前記吸引口には空気の吸い込み方向を調整可能な吸引調整手段が設けられていることを特徴とする請求項４に記載の手乾燥装置。
【請求項６】
前記水栓を挟んで一側に前記送風口が設けられ、他側に前記吸引口が設けられていることを特徴とする請求項４に記載の手乾燥装置。
【請求項７】
洗面ボウルの乾燥を行う洗面ボウル乾燥運転モードを備えることを特徴とする請求項１に記載の手乾燥装置。
【請求項８】
前記洗面ボウル乾燥運転モードは、前記送風口下方への手の挿入有無に拘らず、前記洗面ボウル乾燥運転モードの実行を指示する操作後、所定時間継続して実行されることを特徴とする請求項７に記載の手乾燥装置。
【請求項９】
前記洗面ボウル乾燥運転モードは、前記風向調整手段で吹き出す空気の指向方向及び指向範囲の少なくとも一方を洗面ボウルの周辺部分に指向するように調整し、その周辺部分を乾燥させることを特徴とする請求項７に記載の手乾燥装置。
【発明の詳細な説明】
【技術分野】
【０００１】
本発明は、手乾燥装置に関する。
【背景技術】
【０００２】
近年、特に公共のトイレ等においては、手洗い後に手に付着している水を拭き取るためのペーパータオルを削減する傾向が強まっており、ペーパータオルの代わりに手乾燥装置を設置する場合が増えている。このような手乾燥装置は、洗面ボウルが配置されている場所からは少し離れた洗面カウンター上の空間や、洗面カウンターから離れたトイレ空間の壁面等に設置されている場合が多い。これらに対して、洗面ボウルの直上に配置されることを意図したものが提案されている（下記特許文献１参照）。
【０００３】
下記特許文献１において提案されているのは、手洗い装置であって、手を水平方向に動かすことなく一連の手洗い動作が完了することを意図されたものである。具体的には、それぞれ異なった流体（石鹸、消毒液、水）を吐出するための複数の吐出部を備え、使用者の手を検出する人体検出手段の検出信号に基づいて、制御部が各流体を予め定める順序に従って吐出もしくは停止させる手洗い装置であって、複数の吐出部が手洗器のボウル部上方に並設されるとともに、それらの中心軸が互いに交差する領域が人体検出手段の検出領域となるように構成されているものである。更に、これら流体を吐出するための複数の吐出部に加えて、温風を吐出するための温風吐出部を備えている。温風吐出部は流体の吐出部の横に設けられている。
【先行技術文献】
【特許文献】
【０００４】
【特許文献１】特開２００１−２２４５２７号公報
【発明の概要】
【発明が解決しようとする課題】
【０００５】
上述した従来技術では、洗面ボウル上に配置される手洗い装置側に吐水部が設けられ、洗面ボウル側には水を吐出する機器が設けられていないことからわかるように、手洗い装置と洗面ボウルはあくまでセットで流通し、使用されることが想定されている。したがって、手洗い装置の温風吐出部から吹き出される温風の向きや風量、洗面ボウルの形状等は、洗面ボウルに付着した水や温風の処理に最も適切なものとなるよう、手洗い装置と洗面ボウルの全体で最適化させる設計を行うことができる。つまり、洗面ボウルに付着した水が飛び散ることがないよう、温風吐出部から吹き出される温風の向きや風量をそれぞれ設計時に固定することができるし、逆に、温風吐出部から吹き出される温風によって水が飛び散らないよう、洗面ボウルの形状を決定することができる。
【０００６】
しかしながら、温風を吹き出す機能のみを有する手乾燥装置を単品で流通させ、既設の洗面ボウルの上方に設置するものとした場合、手乾燥装置の下方には様々な形状の洗面ボウルが設置され得る。したがって、吹き出された温風が洗面ボウル近傍で乱流となり、洗面ボウルに付着している水を飛び散らせる事態が想定される。さらに、温風が洗面器近傍に設けられた水栓と干渉して、乱流が発生して水を飛び散りがより顕著になるという課題がある。
【０００７】
本発明はこのような課題に鑑みてなされたものであり、その目的は、設置される洗面ボウル及びその洗面ボウルに吐水するための水栓の態様に拘らず、洗面ボウルに付着した水の飛び散りを抑制することを可能とする手乾燥装置を提供することにある。
【課題を解決するための手段】
【０００８】
上記課題を解決するために本発明に係る手乾燥装置は、洗面ボウル及びその洗面ボウルに吐水する水栓の直上であって、壁面に配置された鏡よりも下方の空間に、壁面から本体部が突出するように配置されるものであり、前記本体部の上面には略平坦な物置面が形成され、前記本体部の下面には洗面ボウルに向けて空気を吹き出す送風口が形成された手乾燥装置であって、前記送風口には空気の吹き出し方向を調整可能な風向調整手段が設けられていることを特徴とする。
【０００９】
本発明に係る手乾燥装置は、洗面ボウル及びその洗面ボウルに吐水する水栓の直上であって、壁面に配置された鏡よりも下方の空間に、壁面から突出するように配置されるものであるので、洗面ボウル及び水栓に対して別途後付等によって取り付けることができ、様々な態様の洗面ボウル及び水栓に対応することができるものである。このように様々な態様の洗面ボウル及び水栓に取り付けることを可能とすると、乾燥空間の確保が困難となったり、洗面ボウルに付着した水の飛び散りが懸念されるが、本発明では送風口に風向調整手段を設けて空気の吹き出し方向を調整可能としているので、洗面ボウルの形態や水栓の取り付け位置を考慮した空気の吹き出しを施工時等の簡易な作業によって実現することが可能となり、乾燥空間の確保と水の飛び散り抑制とを両立している。具体的には、洗面ボウルに対して様々な取り付け位置が想定される水栓を確実に避けた位置に手を乾燥するための乾燥空間を構築したり、洗面ボウルに付着した水を飛び散らせないような空気の吹き出し態様にしたりといった対応を簡易に行うことができる。
【００１０】
本願請求項２に係る手乾燥装置では、前記風向調整手段が、吹き出す空気の指向方向と指向範囲とをそれぞれ調整可能なように構成されていることを特徴とする。
【００１１】
この態様によれば、風向調整手段によって、吹き出す空気の指向方向と指向範囲とをそれぞれ調整することができるので、多様な洗面器の形態や多様な水栓の配置態様に対応させて、空気の吹き出しをより細やかに制御することが可能となり、水の飛び散りの防止と乾燥空間の確保がより容易なものとなる。
【００１２】
本願請求項３に係る手乾燥装置では、前記送風口から吹き出す空気量も調整可能なように構成されていることを特徴とする。
【００１３】
この態様によれば、前記送風口から吹き出す空気量も調整することができるので、洗面ボウルに至った際の空気の流速を調整することができ、洗面ボウルに付着している水の飛び散りを防止することができる。
【００１４】
本願請求項４に係る手乾燥装置では、前記本体部は壁面に沿うように横長に形成されており、一側に前記送風口が設けられ、他側に前記送風口から吹き出す空気を吸引する吸引口が設けられていることを特徴とする。
【００１５】
この態様によれば、壁面に沿うように横長に形成された本体部の一側に送風口を設けると共に他側には吸引口を設けているので、洗面ボウルの壁面に沿った間口方向における一側に空気を吹き出すことで、洗面ボウルの曲面に沿って他側へと戻す空気の循環を円滑に行うことができ、洗面ボウルの内面近傍における乱流を防止することによって洗面ボウルに付着した水の飛び散りの防止をより確実なものとすることができる。
【００１６】
本願請求項５に係る手乾燥装置では、前記吸引口には空気の吸い込み方向を調整可能な吸引調整手段が設けられていることを特徴とする。
【００１７】
この態様によれば、洗面ボウルの曲面に沿って上昇する空気を確実に捕捉できる方向に空気の吸い込み方向を調整することができるので、洗面ボウルの曲面に沿って上昇する空気の流れが乱れることによる、洗面ボウルに付着した水の飛び散りの発生を抑制することができる。
【００１８】
本願請求項６に係る手乾燥装置では、前記水栓を挟んで一側に前記送風口が設けられ、他側に前記吸引口が設けられていることを特徴とする。
【００１９】
この態様によれば、水栓を挟んで一側に送風口を設けると共に他側には吸引口を設けているので、水栓を挟んで一方から他方へと空気を流すことが可能となり、水栓をかわすように送風を行うことができるので、乱流の防止と乾燥空間の確保がより容易なものとなる。
【００２０】
本願請求項７に係る手乾燥装置では、洗面ボウルの乾燥を行う洗面ボウル乾燥運転モードを備えることを特徴とする。
【００２１】
この態様によれば、洗面ボウルの直上に配置した手乾燥装置に洗面ボウル乾燥運転モードを備えるので、洗面ボウル及び洗面ボウルのリムや洗面ボウルが取り付けられているカウンターの開口周縁部分といった洗面ボウルの周辺部分に送風口から吹き出す空気を当てることができ、洗面ボウル及びその周辺部分を容易に綺麗な状態に維持することができる。また、通常モードとは別に洗面ボウル乾燥運転モードを備えるので、洗面ボウルからの水の飛び散りの抑制は通常モードで対応する一方で、洗面ボウル及びその周辺部分の乾燥を洗面ボウル乾燥運転モードで対応することができ、より確実に洗面ボウル及びその周辺部分の乾燥を行うことができる。
【００２２】
本願請求項８に係る手乾燥装置では、前記洗面ボウル乾燥運転モードが、前記送風口下方への手の挿入有無に拘らず、前記洗面ボウル乾燥運転モードの実行を指示する操作後、所定時間継続して実行されることを特徴とする。
【００２３】
通常の手乾燥装置では、送風口下方への所定の位置に手を挿入することで空気を吹き出すものである。しかしながらこの態様によれば、洗面ボウル乾燥運転モードの実行を指示する操作を受け付けた後に所定時間継続して洗面ボウル乾燥運転モードを実行するので、そのような手の挿入有無に拘らず、所定時間だけ洗面ボウル及びその周辺部分に空気を吹きつけることでそれらの乾燥を行うことができる。
【００２４】
本願請求項９に係る手乾燥装置では、前記洗面ボウル乾燥運転モードが、前記風向調整手段で吹き出す空気の指向方向及び指向範囲の少なくとも一方を洗面ボウルの周辺部分に指向するように調整し、その周辺部分を乾燥させることを特徴とする。
【００２５】
この態様によれば、通常モードとは別の洗面ボウル乾燥運転モードにおいて空気の指向方向及び指向範囲の少なくとも一方を洗面ボウルの周辺部分に指向するように調整するので、通常モードでは洗面ボウルからの水の飛び散りに配慮しつつ、洗面ボウル乾燥運転モードでは洗面ボウルの周辺部分に確実に空気を吹きつけることでその部分を確実に乾燥することができる。
【発明の効果】
【００２６】
本発明によれば、設置される洗面ボウル及びその洗面ボウルに吐水するための水栓の態様に拘らず、洗面ボウルに付着した水の飛び散りを抑制することを可能とする手乾燥装置を提供することができる。
【図面の簡単な説明】
【００２７】
【図１】本発明の実施形態である手乾燥装置を設置した状態を示す概観図である。
【図２】本発明の実施形態である手乾燥装置の断面図である。
【図３】本発明の実施形態である手乾燥装置の操作パネルを示す図である。
【図４】図１に示す設置状態で、手乾燥装置から空気を吹き出す状態を示す図である。
【図５】図４に示す状態を側面から見た様子を説明するための図である。
【図６】より幅広で奥行の深い洗面器に本実施形態の手乾燥装置を設置し、手乾燥装置から空気を吹き出す状態を示す図である。
【図７】図６に示す状態を側面から見た様子を説明するための図である。
【図８】洗面器乾燥モードで手乾燥装置を制御した場合の空気の流れを示す図である。
【図９】洗面器乾燥モードで手乾燥装置を制御した場合の空気の流れを示す図である。
【図１０】本実施形態の変形例としての手乾燥装置を示す図である。
【発明を実施するための形態】
【００２８】
以下、添付図面を参照しながら本発明の実施の形態について説明する。説明の理解を容易にするため、各図面において同一の構成要素に対しては可能な限り同一の符号を付して、重複する説明は省略する。
【００２９】
本発明の実施形態について図１を参照しながら説明する。図１は、実施形態である手乾燥装置１０を設置した状態を示す概観図である。図１に示すように、壁面には、洗面器Ｌと化粧鏡ＬＭとが鉛直方向に所定間隔をおくように、それぞれ壁面に取り付けられている。洗面器Ｌには水栓Ｆが取り付けられていて、水栓Ｆから洗面器Ｌの洗面ボウルＬＢへと水を吐出することができるように構成されている。
【００３０】
洗面器Ｌ（洗面ボウルＬＢ）及び水栓Ｆの直上であって、壁面に配置された化粧鏡ＬＭよりも下方の空間に壁面から突出するように、手乾燥装置１０が配置されている。手乾燥装置１０の上面１１には略平坦な物置面が形成され、下面１２には洗面ボウルＬＢに向けて送風する送風口（図１においては明示しない）が形成されている。尚、本明細書において、「上」とは、手乾燥装置１０をその長手方向が水平方向に略沿うように配置した場合の化粧鏡ＬＭ方向を指し示し、「下」とは、手乾燥装置１０をその長手方向が水平方向に略沿うように配置した場合の洗面器Ｌ（洗面ボウルＬＢ）方向を指し示すものである。
【００３１】
続いて、図２を参照しながら手乾燥装置１０の内部構造について説明する。図２は、手乾燥装置１０の長手方向における断面図である。図２に示すように、手乾燥装置１０は、本体部１０ａと流路部１０ｂとを備えている。本体部１０ａは壁面に沿って横長に形成されており、その本体部１０ａの内部に流路部１０ｂが設けられている。手乾燥装置１０を構成する本体部１０ａの下面１２には、洗面器Ｌ（洗面ボウルＬＢ）に向けて空気を吹き出すための送風口１３と、その送風口１３から吹き出す空気を吸引する吸引口１４とが設けられている。吸引口１４と送風口１３とは、本体部１０ａの一側と他側とに形成されており、流路部１０ｂの一端と他端に繋がっている。更に、図１に示すような洗面器Ｌの直上に手乾燥装置１０を取り付けた場合には、吸引口１４と送風口１３とは、水栓Ｆを挟んで一側と他側とに設けられているようになる。
【００３２】
送風口１３には、空気の吹き出し方向を調整可能な風向調整手段としてのルーバー２１が設けられている。ルーバー２１は、４枚の風向調整板２１２と、それらの風向調整板２１２を揺動可能に軸支する軸２１１とを備えている。本実施形態の場合、４枚の風向調整板２１２は互いに独立して揺動可能なように構成されており、送風口１３から吹き出す空気の指向方向と指向範囲とをそれぞれ調整可能なように構成されている。
【００３３】
吸引口１４には、空気の吸い込み方向を調整可能な吸引調整手段としてのルーバー２０が設けられている。ルーバー２０は、４枚の風向調整板２０２と、それらの風向調整板２０２を揺動可能に軸支する軸２０１とを備えている。本実施形態の場合、４枚の風向調整板２０２は互いに独立して揺動可能なように構成されており、吸引口１４から吸い込む空気の方向を調整可能なように構成されている。
【００３４】
吸引口１４に設けられたルーバー２０の奥側（下流側）の流路部１０ｂには、フィルタ１９が設けられている。更にその下流側の流路部１０ｂには、送風機１６が配置されている。送風機１６は、ケーシング１６０と、その内部に配置されたファン１６１及びモータ１６２とを備えている。ファン１６１が吸引口１４側に、モータ１６２が送風口１３側に、それぞれ配置されている。モータ１６２の回転に応じてファン１６１が回転するように構成されることで、ファン１６１が吸い込んだ空気はモータ１６２内部を通して送風口１３側に吹き出されている。
【００３５】
本体部１０ａと流路部１０ｂとの間の空間内における下面１２側には、制御装置１７が配置されている。更に本体部１０ａの下面１２にはセンサ１８が設けられており、センサ１８が使用者の手等を検知すると、その検知信号を制御装置１７に出力する。制御装置１７は、センサ１８からの検知信号に応じてモータ１６２を駆動する。
【００３６】
本体部１０ａの側面には操作パネル２２が取り付けられている。操作パネル２２を操作することで出力される操作信号は制御装置１７に出力される。制御装置１７は、その操作信号に応じてモータ１６２、ルーバー２０，２１を駆動する。
【００３７】
操作パネル２２の外観を図３に示す。図３に示すように、操作パネル２２には、「手乾燥」スイッチ２２１と、「洗面器乾燥」スイッチ２２２と、「高速」スイッチ２２３と、「低速」スイッチ２２４と、「ＯＦＦ」スイッチ２２５とが設けられている。「手乾燥」スイッチ２２１を操作すると、制御装置１７は通常運転モードとしての手乾燥運転モードで手乾燥装置１０を制御する。具体的には、センサ１８で使用者の手等を検知した場合に、モータ１６２を駆動するように制御する。
【００３８】
「洗面器乾燥」スイッチ２２２を操作すると、制御装置１７は洗面ボウル乾燥運転モードとしての洗面器乾燥モードで手乾燥装置１０を制御する。具体的には、送風口１３下方への手の挿入有無に拘らず、「洗面器乾燥」スイッチ２２２の操作を受け付けたことをトリガとして、所定時間継続して送風口１３から空気を吹き出す運転を実行する。また、送風口１３のルーバー２１によって指向される空気の吹き出し方向を、洗面ボウルＬＢの周辺部分に指向するように調整し、洗面ボウルＬＢの周辺部分を乾燥させる（詳細は後述する）。
【００３９】
「高速」スイッチ２２３を操作すると、制御装置１７はモータ１６２の回転を高める運転制御を実行する。「低速」スイッチ２２４を操作すると、制御装置１７はモータ１６２の回転を低める運転制御を実行する。この「高速」スイッチ２２３及び「低速」スイッチ２２４の操作によって、送風口１３から吹き出す空気の量を調整することが可能となっている。「ＯＦＦ」スイッチ２２５を操作すると、制御装置１７は制御動作を停止する。
【００４０】
続いて、図４〜図１０を参照しながら、手乾燥装置１０の送風口１３から空気を吹き出し、吸引口１４からその吹き出した空気を吸い込む態様について説明する。図４は、幅Ｗ１及び奥行Ｄ１の洗面器Ｌの直上に手乾燥装置１０を取り付けた場合の空気の流れについて正面から見た様子を説明するための図であり、図５はその状態で側面から見た様子を説明するための図である。
【００４１】
図４に示すように、送風口１３から吹き出された空気は、洗面器Ｌの洗面ボウルＬＢの一側に当たり、その内面に沿って他側に向かって流れ、他側の洗面ボウルＬＢの曲面に沿って上向きに風向きが変わり、吸引口１４に向かって流れる。また、図５に示すように、送風口１３から吹き出された空気は、洗面器Ｌの洗面ボウルＬＢの先端側に当たり、その内面に沿って壁Ｗ側に流れ、壁Ｗ側の洗面ボウルＬＢの曲面に沿って上向きに風向きが変わり、吸引口１４に向かって流れる。
【００４２】
このように空気が流れるように、ルーバー２０，２１を制御することで、洗面器ＬのリムＬＲには空気を当てずに、洗面器Ｌの洗面ボウルＬＢのみに空気を当てて円滑に循環させることができる。したがって、洗面ボウルＬＢの内面近傍における乱流が抑制され、洗面ボウルＬＢに付着した水の飛び散りが抑制しながら、手の乾燥を行うことができる。また、水栓Ｆをかわすように送風を行うことで、送風口１３から吹き出された空気が水栓Ｆに当たり乱流が生じ、洗面ボウルＬＢに付着した水が飛び散るようなこともなく、さらに、水栓Ｆ横の空間を、手を乾燥させる乾燥空間として使用することが可能となる。
【００４３】
図４及び図５を参照しながら説明した例では、手乾燥装置１０の幅と洗面器Ｌの幅Ｗ１とが略同一であったけれども、洗面器の幅がより広いものであっても対応可能である。そのような例について図６及び図７を参照しながら説明する。図６は、幅Ｗ２及び奥行Ｄ２の洗面器Ｌ１の直上に手乾燥装置１０を取り付けた場合の空気の流れについて正面から見た様子を説明するための図であり、図７はその状態で側面から見た様子を説明するための図である。幅Ｗ２は幅Ｗ１よりも広く、奥行Ｄ２は奥行Ｄ１よりも深いものである。
【００４４】
図６に示すように、送風口１３から吹き出された空気が図４に示す状態よりも外側に向かうようにルーバー２１を制御することで、送風口１３から吹き出された空気は、洗面器Ｌの洗面ボウルＬＢ１の一側に当たり、その内面に沿って他側に向かって流れ、他側の洗面ボウルＬＢ１の曲面に沿って上向きに風向きが変わり、吸引口１４に向かって流れる。吸引口１４のルーバー２０は、図４に示す場合よりも外側に向いているので、図６に示すような空気の流れであっても、円滑に吸引することができる。また、図７に示すように、送風口１３から吹き出された空気は、洗面器Ｌ１の洗面ボウルＬＢ１の先端側に当たり、その内面に沿って壁Ｗ側に流れ、壁Ｗ側の洗面ボウルＬＢ１の曲面に沿って上向きに風向きが変わり、吸引口１４に向かって流れる。
【００４５】
このように、洗面器の形状、大きさが変わっても、ルーバー２０，２１を制御して空気の吹き出し方向や吸引方向をすることで、洗面器Ｌ１のリムＬＲ１には空気を当てずに、洗面器Ｌ１の洗面ボウルＬＢ１のみに空気を当てて円滑に循環させることができる。したがって、洗面ボウルＬの場合と同様に、水の飛び散りが抑制されるとともに、水栓Ｆ横の空間を、手を乾燥させる乾燥空間として使用することが可能となる。
【００４６】
図４及び図５を参照しながら説明した例は、通常運転モードとしての手乾燥モードで手乾燥装置１０を制御した場合である。これに対して、洗面ボウル乾燥運転モードとしての洗面器乾燥モードで手乾燥装置１０を制御した場合の例を、図８及び図９を参照しながら説明する。
【００４７】
図８に示すように、送風口１３から吹き出された空気は、その一部が洗面器Ｌの洗面ボウルＬＢの一側に当たり、その内面に沿って他側に向かって流れ、他側の洗面ボウルＬＢの曲面に沿って上向きに風向きが変わり、吸引口１４に向かって流れる。一方で、送風口１３から吹き出された空気の残部は、洗面器ＬのリムＬＲに当たるように流れる。また、図９に示すように、送風口１３から吹き出された空気は、その一部が洗面器Ｌの洗面ボウルＬＢの先端側に当たり、その内面に沿って壁Ｗ側に流れ、壁Ｗ側の洗面ボウルＬＢの曲面に沿って上向きに風向きが変わり、吸引口１４に向かって流れる。一方で、送風口１３から吹き出された空気の残部は、洗面器ＬのリムＬＲに当たるように流れる。このように空気が流れるように、ルーバー２０，２１を制御することで、洗面器ＬのリムＬＲにも空気を当てて、リムＬＲを乾燥させることができる。本実施形態では。独立タイプの洗面器Ｌを用いたが、カウンターに取り付けられるタイプの洗面器に適用することも好ましい。その場合には、洗面器周辺のカウンター部分を乾燥させることができる。
【００４８】
上述した実施形態では、ルーバー２０，２１を構成する風向調整板２０２，２１２をそれぞれ独立して揺動可能なように構成し、送風口１３から吹き出す空気や吸引口１４から吸引する空気の指向方向や指向範囲を調整したが、好ましい態様はこれに限られるものではない。風向調整板２０２，２１２を異なる角度で固定されたルーバー２０，２１を複数準備し、それらを交換可能なように構成することも好ましい一つの態様である。このような態様とすれば、手乾燥装置１０を公共の場に設置したとしても、風向調整板２０２，２１２の方向をメンテナンス担当者以外に勝手に変えられるといった悪戯をされることがなく、メンテナンスが容易なものとなる。
【００４９】
また、上述した実施形態では、手乾燥装置１０の一側に送風口１３を設け、他側に吸引口１４を設けたが、好ましい態様はこれに限られるものではない。図１０に示す手乾燥装置５０のように、送風口（図に明示せず）を前方の一側から他側に渡って形成し、吸引口（図に明示せず）を後方の一側から他側に渡って形成することも好ましい。このように構成することで、送風口から吹き出す空気をエアカーテンのようにすることができる。尚、この場合の側方からみた空気の流れは、図５に示す空気の流れと同様なものとなる。
【符号の説明】
【００５０】
１０：手乾燥装置
５０：手乾燥装置
１０ａ：本体部
１０ｂ：流路部
１１：上面
１２：下面
１３：送風口
１４：吸引口
１６：送風機
１７：制御装置
１８：センサ
１９：フィルタ
２０，２１：ルーバー
２２：操作パネル
１６０：ケーシング
１６１：ファン
１６２：モータ
２０１：軸
２０２：風向調整板
２１１：軸
２１２：風向調整板
Ｆ：水栓
Ｌ：洗面器
Ｌ１：洗面器
ＬＢ：洗面ボウル
ＬＢ１：洗面ボウル
ＬＭ：化粧鏡
ＬＲ：リム
ＬＲ１：リム
【図１】
2010213783.tif 000003
【図２】
2010213783.tif 000004
【図３】
2010213783.tif 000005
【図４】
2010213783.tif 000006
【図５】
2010213783.tif 000007
【図６】
2010213783.tif 000008
【図７】
2010213783.tif 000009
【図８】
2010213783.tif 000010
【図９】
2010213783.tif 000011
【図１０】
2010213783.tif 000012